(57)【要約】      （修正有）【課題】本体に内蔵された回動式の複数の脚により、撮影アングルの決定を短時間でできる撮像装置を提供する。【解決手段】複数の可動する脚を内蔵する撮像装置であり、この脚の開閉状態、及び、開閉途中での任意の角度での固定と解除を可能とする脚固定部材２２と、この脚固定部材２２の固定を解除するスイッチ１４と、この脚固定部材２２に一体的に構成されていて、脚の軸部周囲に当接する押圧部材と、この脚固定部材２２が押圧部材を通じて脚の軸部周囲に押圧力を負勢させるバネ２４とを備える。【選択図】図３ｂ
2017032883.tif 000002
【特許請求の範囲】
【請求項１】
複数の可動する脚を内蔵する撮像装置１であり、この脚の開閉状態、及び、開閉途中での任意の角度での固定と解除を可能とする脚固定部材２２と、この脚固定部材２２の固定を解除するスイッチ１４と、この脚固定部材２２に一体的に構成されていて、脚の軸部周囲に当接する押圧部材３０と、この脚固定部材２２が押圧部材３０を通じて脚の軸部周囲に押圧力を負勢させるバネ２４とを備えることを特徴とする撮像装置。
【請求項２】
脚の開く角度は０°以上、９０°未満の範囲内であることを特徴とする請求項１に記載の撮像装置。
【発明の詳細な説明】
【技術分野】
【０００１】
本発明は、撮像装置に内蔵した脚の構造に関する。
【背景技術】
【０００２】
撮像装置を用いてセルフタイマーによる自分撮りや定点撮影を行うためにまず考えるのは、撮像装置を把持せずに設置できるような平坦な場所を探したり、三脚を装着することが一般的である。そして次に考慮する必要があるのは最適な撮影アングルである。被写体の位置を決定し、画角を調整することが重要である。
【０００３】
ところが、こうしたとき、場所は平坦であるが角度がついていたり、平坦ではなく岩場などの凹凸のある地面であったり、また三脚を所有していたなかったりなど、簡単に撮影アングルを決定するための場所探しや、道具の準備に手間取る場面があった。
【０００４】
このような事態に対応するため、従来より特許文献１のような、収納開脚自在な補助脚を設けた撮像装置の提案がなされている。
【先行技術文献】
【特許文献】
【０００５】
【特許文献１】特開平５−２８４４０３号公報
【発明の概要】
【発明が解決しようとする課題】
【０００６】
しかしながら、上記の従来構造では、撮像装置本体に備えられた補助脚の開脚や、開脚した補助脚の角度調整を簡単な操作で行うことが出来ないため、撮影アングルの決定に時間を要し、同時に補助脚の収納にも時間を要するため、撮像装置本体の操作性がよくないという問題があった。
【課題を解決するための手段】
【０００７】
上記の課題を解決するために、本発明に係る撮像装置は、
複数の脚を内蔵する撮像装置であり、この脚の開閉状態、及び、開閉途中での任意の角度での固定と解除を可能とする脚固定部材と、この脚固定部材の固定を解除するスイッチと、この脚固定部材に一体的に構成されていて、脚の軸部周囲に当接する押圧部材と、この脚固定部材が押圧部材を通じて脚の軸部周囲に押圧力を負勢させるバネとを備えることを特徴とする。
【発明の効果】
【０００８】
本発明に係る撮像装置によれば、平坦であるが角度のついた地面であったり、平坦ではなく岩場などの凹凸のある地面の上に撮像装置本体１を置くときに、脚固定解除スイッチ１４の操作一つで、脚の開閉と固定を同時に行え、短時間で希望の撮影アングルを得ることが出来、かつ、開いた脚の収納も脚固定解除スイッチ１４の操作一つで出来るため、撮像装置本体１の操作性が向上する。
【図面の簡単な説明】
【０００９】
【図１ａ】実施例の撮像装置の上方斜視図
【図１ｂ】実施例の撮像装置の下方斜視図
【図２ａ】実施例の脚の斜視図
【図２ｂ】実施例の脚の斜視図
【図３ａ】実施例の撮像装置の分解斜視図
【図３ｂ】実施例の撮像装置の分解斜視図
【図３ｃ】三脚固定部材の形状説明図
【図４】実施例の撮像装置の下方図
【図５ａ】実施例の撮像装置の断面図
【図５ｂ】図５ａの部分詳細図
【図５ｃ】実施例の撮像装置の分解上方図
【図６ａ】実施例の撮像装置の断面図
【図６ｂ】図６ａの部分詳細図
【図６ｃ】実施例の撮像装置の分解上方図
【図７ａ】実施例の撮像装置の断面図
【図７ｂ】図７ａの部分詳細図
【図８ａ】実施例の撮像装置の断面図
【図８ｂ】図８ａの部分詳細図
【図９】実施例の撮像装置の脚の動作説明図
【図１０ａ】実施例の撮像装置の使用例説明図
【図１０ｂ】実施例の撮像装置の使用例説明図
【図１１ａ】実施例の撮像装置の部分断面図
【図１１ｂ】実施例の撮像装置の部分断面図
【発明を実施するための形態】
【００１０】
以下、本発明を実施するための形態を図面に基づいて説明する。
【００１１】
［実施例］
本発明による実施例を図１〜図１１を用いて説明する。
【００１２】
＜撮像装置の構成要素の説明＞
まず、実施例における構成の説明を図１〜図３を用いて行う。
【００１３】
図１ａは本発明の構成を搭載した撮像装置本体１を上方斜め方向から見た図であり、１１は撮像装置本体１の上面を覆う上カバー、１２は下面を覆う下カバー、１３は撮像レンズ、１４は後述する本体内蔵脚の固定を解除するスイッチである。
【００１４】
次に図１ｂは、撮像装置本体１を下方斜め方向から見た図であり、１８は三脚を取り付ける際の三脚ネジ穴であり、１５，１６，１７は撮像装置本体１に搭載された回動式の本体内蔵の脚であり同一形状である。
【００１５】
ここで、これらの脚の形状の特徴について、脚１６を用いて図２ａ、２ｂに説明する。ここで図２ｂは図２ａの脚をひっくり返したときの図となっている。
【００１６】
まず１６ａは、脚１６に形成された突起部であり、脚１６を含め、他のすべての脚を閉じた状態にあるとき、これら突起部１５ａ、１６ａ、１７ａが撮像装置本体１が地面に接地するときの脚として機能する。次に、図中のグレーで色分けされている部分の材質は、滑りを抑制するためゴムなどの弾性部材１６ｃで形成されている。その領域は、脚の表面から脚の先端部を覆うように形成している。そして１６ｅは脚１６の回転中心に形成された軸穴であり、軸部品を挿入できる。さらに３３は脚１６の軸部周囲に形成された凸形状であり、その長さは軸部円周の頂点から脚の本体部に近づくにつれ徐々に長くなるように形成されている。最後に１６ｄは、相手部材と引っかけることが出来るような形状で形成された引っかけ爪である。１６ｃ、１６ｄの用途、目的については後述する。
【００１７】
このような撮像装置本体１の内部構造について、上カバー１１を取り外して撮像装置本体１を上方斜め方向から見た図３ａと、図３ａの状態から内部の構成部材を取り外した図３ｂ、および内部の構造部材の一つである脚固定部材２２について図３ｃを用いて説明する。
【００１８】
まず図３ａ、３ｂより、１９は撮像装置１内に装着されたバッテリーで、２０は各種電気部品などを実装したメイン基板、２１は、後述する脚固定部材２２と脚１５，１６，１７の軸部を保持するための押さえ部材である。
【００１９】
ここで、押さえ部材２１の役割について説明する。
【００２０】
図３ｂより２６，２７，２８は、それぞれ脚１５，１６，１７の回転軸であるが、これらの回転軸は下カバー１２に形成されたスリット状の溝から各脚の軸穴（脚１６であれば１６ｅ）に挿入され脚の回転軸となる。押さえ部材２１には、これらの回転軸の浮きを押さえるために、上記の溝部に挿入されるような不図示のリブが形成されている。これによって回転軸２６，２７，２８が固定され、脚１５，１６，１７は回動可能となっている。
【００２１】
さらに押さえ部材２１は、下カバー１２と不図示の部分で一体的に固定され、下カバー１２との間で脚固定部材２２の上下方向の位置を規制するガイド部材としての役割も担っている。
【００２２】
次に脚固定部材２２について説明する。
【００２３】
図３ｂより脚固定部材２２は、三脚穴１８を形成する突起形状１８ａを中心に回転可能に設定されていて、脚固定部材２２のバネ掛け部２２ａと、下カバー１２のバネ掛け部１２ａの間に取り付けられたバネ２４によって矢印２３方向に回転するよう負勢されている。
【００２４】
また、脚固定部材２２に設定された爪掛け部２２ｂでは、脚１６の爪１６ｄと嵌合するようになっている。このとき、その他の脚１５，１７にも同様の爪１５ｄ、１７ｄが形成されていて、それぞれが爪掛け部２２ｃ、２２ｄと嵌合するように設定されている。
【００２５】
図３ｃに脚固定部材２２の形状を示す。３０ａ、３０ｂ、３０ｃは摺動抵抗の高い材質、例えばゴムなどで成形されていて脚固定部材２２と一体的に構成されている。
【００２６】
図３ｂにおいて、バネ２５は脚固定解除スイッチ１４を矢印２９の方向に負勢するバネであり、この脚固定解除スイッチ１４を矢印２９と反対方向に押すことで、脚固定解除スイッチ１４の先端部で脚固定部材２２を矢印２３と反対方向に回転させる。
【００２７】
＜動作の説明＞
次に、上記で説明したそれぞれの構成要素の動作について図４〜図９を用いて説明する。
【００２８】
図４は撮像装置本体１を下カバー１２側から見た図であり、破線表示されている形状は下カバー１２で隠れた内部の構成要素である。この図を線Ａ−Ａで切断した図５ａ、６ａ、７ａ、８ａを用いて各構成要素の動作について説明を行う。ここでの説明は、３本ある本体内蔵脚のうち、代表として脚１６を用いてについて説明を行うが、脚１５，１７についても同様動作が適用される。
【００２９】
まず脚が閉じている状態の動作を説明する。
【００３０】
図５ａは脚１６が閉じている状態を表している。そして図５ｂは図５ａの３４で囲まれた部分の拡大図である。さらに図５ｃは撮像装置本体１の内部構造を上面から見た図である。
このように脚１６が閉じている状態を維持するために、脚１６の軸部周囲を脚固定部材２２に設定された押圧部材３０ａと接触、押圧させることで実現している。
【００３１】
次に、脚固定部材２２による脚の固定が解除された時の動作を説明する。
【００３２】
図６ａは脚固定部材２２による脚の固定が解除された状態を表していて、図６ｂは図６ａの３４で囲まれた部分の拡大図である。さらに図６ｃは撮像装置本体１の内部構造部材を上面から見た図である。
【００３３】
これら図６ａ、６ｂ、６ｃより、脚固定解除スイッチ１４を矢印３１の方向に押すと、脚固定解除スイッチ１４の先端と脚固定部材２２が３２の部分で当接し、脚固定部材２２が押される。すると、脚１６の軸周囲に接触していた押圧部材３０ａが軸周囲から離れ、脚１６はフリーの状態となる。
【００３４】
次に脚が開く時の動作を説明する。
【００３５】
図６ａの状態で脚１６はフリーとなるため、脚１６は軸２７を中心に自重で開く（図７ａ）。このとき、他の２本の脚１５，１７も同時に開く。図７ｂに図７ａの３４で囲まれた部分の拡大図を示す。図７ｂより、脚１６が開くと突起部１６ａが脚１６の軸部収納部の壁に当接する。これによって脚１６の開き角度を９０°未満に規制するよう構成される。
最後に脚が開いた状態で固定される時の動作を説明する。
【００３６】
図８ａより、図６ａで矢印３１方向に押していた脚固定解除スイッチ１４から力を抜くと、脚固定解除スイッチ１４は図５ａの時の初期位置に戻る。図８ｂに図８ａの３４で囲まれた部分の拡大図を示す。図８ｂより、脚固定部材２２が矢印２３の方向に回動し、再び押圧部材３０ａが脚１６の軸周囲を押圧して、脚１６を固定する。
【００３７】
＜脚の軸部の溝形状の説明＞
ここで脚の軸部周囲に設定された凸形状３３について説明する。
【００３８】
この凸形状３３の長さは図２ｂに示すように、軸部円周の頂点から脚の本体部に近づくにつれ徐々に長くなるように形成されている。これまでの構成要素の動作の説明より、脚１６を閉じているときには凸形状３３の長い部分が押圧部材３０ａと当接しており、脚１６が開いたときには凸形状３３の短い部分が押圧部材３０ａと当接するように構成されている。このように押圧部材３０ａが凸形状３３の長い部分を押圧している時には脚１６は強固に固定されており、逆に凸形状３３の短い部分を押圧している時には脚１６の固定は弱くなる。
このような凸形状３３を設定した理由を図９を用いて行う。
【００３９】
図９では、脚１６の開き角度が大きい場合（１６ｙ）と、角度が小さい場合（１６ｘ）の両方の状態を表している。それぞれの状態で脚にかかる力の分力を考える。脚１６ｙに垂直方向の力４０が掛かるとき、脚の回転方向の分力は４０ａとなる。また、脚１６ｘに垂直方向の力４１が掛かるとき、脚の回転方向の分力は４１ａとなる。この説明より明らかなように、撮像装置本体１を地面に設置する場合、脚には撮像装置本体１の重さが掛かるが、そのときの脚の閉じる方向にかかる力は、脚の開き角度が大きいほど小さく、また、角度が小さいほど大きい。
【００４０】
このことより、脚の角度が大きい場合には凸形状３３の長さは短くて良いが、そのままの長さでは、脚の角度が小さい場合には脚の固定を確実に行うことが出来ない。そのため、脚の開き角度に合わせて凸形状３３の長さを軸部円周の頂点から脚の本体部に近づくにつれ徐々に長くなるように形成している。こうすることで、脚固定部材２２による押圧力を変えずに、確実な脚の固定が出来るようになる。
【００４１】
＜実際の操作時の説明＞
以上説明した撮像装置本体１の実際の使用実施例を図１０、１１を用いて説明する。
【００４２】
ここで図１０ａ，ｂはユーザー１００による撮像装置本体１の使用の場面を表した図であり、図１１ａ，ｂはそれぞれ図６ａ、５ａを、図４に示す線Ｅ−Ｅで切ったときの断面図である。図１０ａは、実際に撮像装置本体１を整地されていない凹凸のある地面の上に置いて撮影を行うために、撮影アングルを決定する工程を想定している。このままの状態で撮像装置本体１を地面に置くと、傾いてしまうのは明白である。そこで図１０ｂのように脚固定解除スイッチ１４を操作して三本の脚を自重回転させると、それぞれの脚が地面の凹凸にあわせた状態の角度で止まる。
【００４３】
このとき、脚１５，１６，１７それぞれの開き角度が異なることが分かる。そして脚１５，１７では脚の先端部分が地面に設置しているが、脚１６は脚の広い面で設置している。それぞれの脚の先端はもとより、脚の広い面に対しても、滑りを抑制するためゴムなどの弾性部材１６ｃが施されているため、撮像装置本体１の滑りが抑制できる。
【００４４】
その後、脚固定解除スイッチ１４から手を離すと、それぞれの脚の位置で固定され、希望の撮影アングルを得ることが出来る。
【００４５】
そして撮影終了後、脚の収納を行う場合には、撮像装置本体１を逆さまにしながら脚固定解除スイッチ１４を押すことで、どの脚も開き角度が９０°未満であるため自重で閉じて、脚が収納される。
【００４６】
このとき爪１６ｄは図１１ａのような状態であり、脚固定部材２２に設定された爪掛け部２２ｂと離間している。次に脚固定解除スイッチ１４から力を抜くと図１１ｂより、脚固定部材２２が矢印２３の方向に回転し、爪掛け部２２ｂが爪１６ｄと嵌合する。これによって、脚１６はより強固な収納状態を保つことが出来る。
【００４７】
＜効果の説明＞
上記のように撮像装置を構成することで、平坦であるが角度のついた地面であったり、平坦ではなく岩場などの凹凸のある地面の上に撮像装置本体１を置くときに、脚固定解除スイッチ１４の操作一つで、脚の開閉と固定を同時に行え、短時間で希望の撮影アングルを得ることが出来、かつ、開いた脚の収納も脚固定解除スイッチ１４の操作一つで出来るため、撮像装置本体１の操作性が向上する。
【符号の説明】
【００４８】
１  撮像装置本体、１１  上カバー、１２  下カバー、１３  撮像レンズ、
１４  脚固定解除スイッチ、１５，１６，１７  脚、１５ｄ，１６ｄ，１７ｄ  爪、
２２  脚固定部材、３０ａ，３０ｂ，３０ｃ  押圧部材、３３  凸形状
【図１ａ】
2017032883.tif 000003
【図１ｂ】
2017032883.tif 000004
【図２ａ】
2017032883.tif 000005
【図２ｂ】
2017032883.tif 000006
【図３ａ】
2017032883.tif 000007
【図３ｂ】
2017032883.tif 000008
【図３ｃ】
2017032883.tif 000009
【図４】
2017032883.tif 000010
【図５ａ】
2017032883.tif 000011
【図５ｂ】
2017032883.tif 000012
【図５ｃ】
2017032883.tif 000013
【図６ａ】
2017032883.tif 000014
【図６ｂ】
2017032883.tif 000015
【図６ｃ】
2017032883.tif 000016
【図７ａ】
2017032883.tif 000017
【図７ｂ】
2017032883.tif 000018
【図８ａ】
2017032883.tif 000019
【図８ｂ】
2017032883.tif 000020
【図９】
2017032883.tif 000021
【図１０ａ】
2017032883.tif 000022
【図１０ｂ】
2017032883.tif 000023
【図１１ａ】
2017032883.tif 000024
【図１１ｂ】
2017032883.tif 000025